【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
歯にアーチワイヤを結合するための歯科矯正ブラケットであって、
前記歯に取り付けられるように構成されたブラケット本体であって、前記アーチワイヤを中に受容するように構成されたアーチワイヤスロットとチャネルを含む、ブラケット本体と、
前記アーチワイヤが前記アーチワイヤスロットに挿入可能である開位置と、前記アーチワイヤスロット内に前記アーチワイヤを保持する少なくとも１つの閉位置との間で前記ブラケット本体に対して可動である回転可能なクロージャ部材であって、前記クロージャ部材と前記ブラケット本体との間の相対移動は、前記アーチワイヤスロットと交差する回転軸回りに行われる、回転可能なクロージャ部材と、
前記ブラケット本体に関連付けられる第１の要素および前記クロージャ部材に関連付けられる第２の要素を有する保持機構であって、前記第１の要素および前記第２の要素は、協働することにより前記ブラケット本体に前記クロージャ部材を回転可能に固定し、前記ブラケット本体に対する前記クロージャ部材の回転に少なくとも１つのポジティブストップを与え、前記第１の要素は、第１の可撓性細長部材の少なくとも一部が前記ブラケット本体に対して固定されるように、前記チャネル内で前記ブラケット本体に固定される第１の可撓性細長部材を含む、保持機構と、
を備える、歯科矯正ブラケット。
【請求項２】
前記クロージャ部材は、開位置と少なくとも２つの閉位置との間で回転可能である、請求項１に記載の歯科矯正ブラケット。
【請求項３】
１つの閉位置が、前記アーチワイヤスロット内への前記アーチワイヤの能動結紮を実現し、別の閉位置が、前記アーチワイヤスロット内への前記アーチワイヤの受動結紮を実現する、請求項２に記載の歯科矯正ブラケット。
【請求項４】
前記クロージャ部材は、前記開位置から第１の閉位置に前記クロージャ部材を移動するように第１の方向に回転し、前記第１の閉位置から第２の閉位置に前記クロージャ部材を移動するように前記第１の方向にさらに回転される、請求項２に記載の歯科矯正ブラケット。
【請求項５】
前記クロージャ部材は、前記開位置から第１の閉位置に前記クロージャ部材を移動するように第１の方向に回転し、前記開位置から第２の閉位置に前記クロージャ部材を移動するように第２の方向に回転される、請求項２に記載の歯科矯正ブラケット。
【請求項６】
前記アーチワイヤスロットは、ベース表面から延在する対向するスロット表面を含み、前記クロージャ部材は、前記アーチワイヤスロット内に前記アーチワイヤを保持するために、少なくとも１つの閉位置において前記アーチワイヤスロットの前記ベース表面に対向する少なくとも２つの保持アームを備える、請求項１に記載の歯科矯正ブラケット。
【請求項７】
前記クロージャ部材は、前記アーチワイヤスロット内に前記アーチワイヤを保持するために４つの保持アームを備える、請求項６に記載の歯科矯正ブラケット。
【請求項８】
前記保持機構の前記第１の要素および前記第２の要素は、協働して前記クロージャ部材の回転に複数のポジティブストップを与える、請求項１に記載の歯科矯正ブラケット。
【請求項９】
前記開位置および前記少なくとも１つの閉位置は、前記クロージャ部材の回転におけるポジティブストップに対応する、請求項８に記載の歯科矯正ブラケット。
【請求項１０】
前記第１の要素は、前記ブラケット本体に結合された少なくとも１つの可撓性細長部材を備え、前記第２の要素は、前記クロージャ部材上にカム機構を備える、請求項１に記載の歯科矯正ブラケット。
【請求項１１】
前記可撓性細長部材は、細長チューブを備える、請求項１０に記載の歯科矯正ブラケット。
【請求項１２】
前記カム機構は、ベース壁部と、前記ベース壁部から離れるように延在する一対の側壁部とを有する溝を前記クロージャ部材に備え、前記可撓性細長部材の少なくとも一部分が、前記溝内に配置される、請求項１０に記載の歯科矯正ブラケット。
【請求項１３】
前記可撓性細長部材は、前記溝の側壁部と相互作用して、前記クロージャ部材が前記ブラケット本体から分離されるのを防止する、請求項１２に記載の歯科矯正ブラケット。
【請求項１４】
前記溝の前記ベース壁部は、前記可撓性細長部材と相互作用して、前記クロージャ部材の回転に前記少なくとも１つのポジティブストップを与える、請求項１２に記載の歯科矯正ブラケット。
【請求項１５】
前記溝の前記ベース壁部は、複数の平坦部を備え、隣接し合う平坦部は、先端により分離され、前記溝の平坦部が前記可撓性細長部材に対面する場合に、ポジティブストップが画定され、隣接し合う平坦部間の前記先端は、前記ポジティブストップから離れるような前記クロージャ部材の回転に抵抗を与える、請求項１４に記載の歯科矯正ブラケット。
【請求項１６】
前記溝の前記ベース壁部は、複数の平坦部を備え、隣接し合う平坦部は、先端により分離され、前記先端が前記可撓性細長部材の切欠部またはくぼみに係合する場合に、ポジティブストップが画定される、請求項１４に記載の歯科矯正ブラケット。
【請求項１７】
前記第１の要素は、前記アーチワイヤスロットの第１の側に第１の細長部材を、および前記アーチワイヤスロットの第２の側に第２の細長部材を備え、前記第２の要素は、前記クロージャ部材の第１の側に溝と、前記クロージャ部材の第２の側にカム表面とを備えるカム機構を備え、前記第１の可撓性細長部材は、前記溝と相互作用して、前記クロージャ部材が前記ブラケット本体から分離されるのを防止し、前記第２の可撓性細長部材は、前記カム表面と相互作用して、前記クロージャ部材の回転に少なくとも１つのポジティブストップを与える、請求項１に記載の歯科矯正ブラケット。
【請求項１８】
前記第１の可撓性細長部材は、前記溝と相互作用して、前記クロージャ部材の回転にポジティブストップを与える、請求項１７に記載の歯科矯正ブラケット。
【請求項１９】
前記第１の要素は、前記ブラケット本体に結合された少なくとも１つの可撓性細長部材を備え、前記第２の要素は、前記クロージャ部材上にラチェット機構を備える、請求項１に記載の歯科矯正ブラケット。
【請求項２０】
前記ラチェット機構は、少なくとも１つの側壁部を有する溝内に位置し、前記可撓性細長部材は、前記側壁部と相互作用して、前記クロージャ部材が前記ブラケット本体から分離されるのを防止する、請求項１９に記載の歯科矯正ブラケット。
【請求項２１】
前記可撓性細長部材は、突出部を備え、前記ラチェット機構は、１つまたは複数の歯および１つまたは複数のトラフを備え、前記突出部は、前記歯と相互作用して、前記クロージャ部材の回転に前記少なくとも１つのポジティブストップを与える、請求項１９に記載の歯科矯正ブラケット。
【請求項２２】
前記少なくとも１つのポジティブストップは、前記突出部が前記トラフの中の１つの中に位置決めされる場合に対応する、請求項２１に記載の歯科矯正ブラケット。
【請求項２３】
ポジティブストップの個数は、トラフの個数に対応する、請求項２１に記載の歯科矯正ブラケット。
【請求項２４】
前記可撓性細長部材は、ほぼＵ字形状であり、一対の対向する突出部を備え、前記ラチェット機構は、１つまたは複数の歯および１つまたは複数のトラフを備え、前記一対の突出部の各突出部が歯と相互作用して、前記クロージャ部材の回転に前記少なくとも１つのポジティブストップを与える、請求項１９に記載の歯科矯正ブラケット。
【請求項２５】
前記第１の要素は、前記ブラケット本体に結合された少なくとも１つの可撓性細長部材を備え、前記第２の要素は、前記クロージャ部材上にキャリッジ機構を備える、請求項１に記載の歯科矯正ブラケット。
【請求項２６】
前記可撓性細長部材は、スロットを有し、前記キャリッジ機構は、ランナと、前記ランナから延在するボール状部材とを備え、前記ランナは、前記スロット内に延在して、前記クロージャ部材が前記ブラケット本体から分離されるのを防止する、請求項２５に記載の歯科矯正ブラケット。
【請求項２７】
前記ボール状部材は、前記スロットと締まり嵌めを形成して、前記クロージャ部材の回転に前記少なくとも１つのポジティブストップを与えるようにサイズ設定される、請求項２６に記載の歯科矯正ブラケット。
【請求項２８】
歯にアーチワイヤを結合するための歯科矯正ブラケットであって、
前記歯に取り付けられるように構成された、アーチワイヤスロットおよびチャネルを含むブラケット本体と、
開位置と少なくとも１つの閉位置との間で前記ブラケット本体に対して可動であり、溝を含む回転可能なクロージャ部材と、
可撓性細長部材を含む保持機構であって、前記可撓性細長部材の少なくとも一部が前記ブラケット本体に対して固定されるように、前記可撓性細長部材は前記チャネル内で前記ブラケット本体に固定され、前記可撓性細長部材が前記溝内に延在して、前記クロージャ部材を前記ブラケット本体に対して回転的に固定するとともに、前記クロージャ部材の回転に少なくとも１つのポジティブストップを提供する、保持機構と、
を備える、歯科矯正ブラケット。
【請求項２９】
前記ブラケット本体は、近心側部、遠心側部、咬合側側部、歯肉側側部の少なくとも１つを含み、前記チャネルは、前記近心側部、前記遠心側部、前記咬合側側部、前記歯肉側側部の少なくとも１つに対して開口している、請求項２８に記載の歯科矯正ブラケット。
【請求項３０】
前記溝がベース壁部と、前記ベース壁部から離れるように延在する一対の側壁部とを含む、請求項２８に記載の歯科矯正ブラケット。
【請求項３１】
前記溝がカム機構を形成する、請求項３０に記載の歯科矯正ブラケット。
【請求項３２】
前記チャネルが前記アーチワイヤスロットに略平行に延在する、請求項２８に記載の歯科矯正ブラケット。